【手続補正書】
【提出日】平成24年1月27日(2012.1.27)
【手続補正１】
【補正対象書類名】明細書
【補正対象項目名】発明の名称
【補正方法】変更
【補正の内容】
【発明の名称】通信システム、通信方法、サーバ、サーバの制御方法、及びプログラム
【手続補正２】
【補正対象書類名】明細書
【補正対象項目名】０００１
【補正方法】変更
【補正の内容】
【０００１】
本発明は、少なくとも第１の端末及び第２の端末を含む複数の端末とサーバとが通信回線を介して互いに接続され、ＳＩＰ（Session InitiationProtocol）を用いてデータ通信を行う通信システム、通信方法、サーバ、サーバの制御方法、及びプログラムに関する。
【手続補正３】
【補正対象書類名】明細書
【補正対象項目名】００１２
【補正方法】変更
【補正の内容】
【００１２】
上記目的を達成するために、本発明の通信システムは、少なくとも第１の端末及び第２の端末を含む複数の端末とサーバとが通信回線を介して互いに接続され、ＳＩＰ（Session InitiationProtocol）を用いてデータ通信を行う通信システムであって、前記サーバが、前記第１の端末宛ての接続要求を外部装置から受けた場合に、当該外部装置に対して前記第１の端末のアドレス情報を応答する応答手段と、前記第２の端末から、当該第２の端末を前記第１の端末宛ての接続要求の転送先として設定することを要求された場合に、当該設定を許可するか否かを判断する判断手段と、前記判断手段による判断の結果、前記第２の端末を前記第１の端末宛ての接続要求の転送先として設定することを許可すると判断された場合に、前記第２の端末を前記第１の端末宛ての接続要求の転送先として設定する設定手段と、前記設定手段により前記第２の端末が前記第１の端末宛ての接続要求の転送先として設定されている状態で、前記第１の端末宛ての接続要求を受けた場合に、前記応答手段が前記第２の端末のアドレス情報を応答するよう制御する制御手段と、を備えることを特徴とする。
【手続補正４】
【補正対象書類名】特許請求の範囲
【補正対象項目名】全文
【補正方法】変更
【補正の内容】
【特許請求の範囲】
【請求項１】
少なくとも第１の端末及び第２の端末を含む複数の端末とサーバとが通信回線を介して互いに接続され、ＳＩＰ（Session InitiationProtocol）を用いてデータ通信を行う通信システムであって、
前記サーバが、
前記第１の端末宛ての接続要求を外部装置から受けた場合に、当該外部装置に対して前記第１の端末のアドレス情報を応答する応答手段と、
前記第２の端末から、当該第２の端末を前記第１の端末宛ての接続要求の転送先として設定することを要求された場合に、当該設定を許可するか否かを判断する判断手段と、
前記判断手段による判断の結果、前記第２の端末を前記第１の端末宛ての接続要求の転送先として設定することを許可すると判断された場合に、前記第２の端末を前記第１の端末宛ての接続要求の転送先として設定する設定手段と、
前記設定手段により前記第２の端末が前記第１の端末宛ての接続要求の転送先として設定されている状態で、前記第１の端末宛ての接続要求を受けた場合に、前記応答手段が前記第２の端末のアドレス情報を応答するよう制御する制御手段と、
を備えることを特徴とする通信システム。
【請求項２】
前記サーバが、前記第１の端末宛ての接続要求の転送先として設定可能な端末を示す情報を保持する保持手段を更に備え、
前記判断手段は、前記第２の端末を示す情報が前記保持手段に保持されている場合に、前記第２の端末を前記第１の端末宛ての接続要求の転送先として設定することを許可すると判断し、前記第２の端末を示す情報が前記保持手段に保持されていない場合は、前記第２の端末を前記第１の端末宛ての接続要求の転送先として設定することを許可しないと判断することを特徴とする請求項１に記載の通信システム。
【請求項３】
前記サーバは、前記第１の端末宛ての接続要求の転送先として設定可能な端末を示す情報を前記第１の端末から受信し、当該受信した情報を前記保持手段により保持することを特徴とする請求項２に記載の通信システム。
【請求項４】
前記判断手段は、前記第２の端末から前記要求を受けた場合に、当該第２の端末を前記第１の端末宛ての接続要求の転送先として設定することを許可するか否かを前記第１の端末に対して問い合わせることにより、前記判断を行うことを特徴とする請求項１に記載の通信システム。
【請求項５】
前記第１の端末が、前記第１の端末宛ての接続要求の転送先として設定可能な端末を示す情報を保持する保持手段を備え、
前記第１の端末は、前記サーバからの問い合わせに対して、前記第２の端末を示す情報が前記保持手段に保持されている場合に、前記第２の端末を前記第１の端末宛ての接続要求の転送先として設定することを許可すると応答し、前記第２の端末を示す情報が前記保持手段に保持されていない場合は、前記第２の端末を前記第１の端末宛ての接続要求の転送先として設定することを許可しないと応答することを特徴とする請求項４に記載の通信システム。
【請求項６】
前記第１の端末が、表示手段を備え、
前記第１の端末は、前記サーバからの問い合わせに対して、当該第２の端末を前記第１の端末宛ての接続要求の転送先として設定することを許可するか否かをユーザに問い合わせるための画面を前記表示手段に表示し、当該表示した画面を介して入力される指示に従って前記サーバに応答することを特徴とする請求項４に記載の通信システム。
【請求項７】
前記判断手段は、前記第２の端末から受信する、前記第２の端末を前記第１の端末宛ての接続要求の転送先として設定することを前記第１の端末が許可したことを示す許可情報に基づいて、前記第２の端末を前記第１の端末宛ての接続要求の転送先として設定することを許可するか否かを判断することを特徴とする請求項１に記載の通信システム。
【請求項８】
前記第２の端末が、当該第２の端末を前記第１の端末宛てのデータの転送先として設定することを前記第１の端末が許可したことを示す許可情報を前記第１の端末から取得する取得手段を備え、
前記第２の端末は、前記第２の端末が前記サーバに対して前記第２の端末を前記第１の端末宛ての接続要求の転送先として設定することを要求する際に、前記取得手段が取得した許可情報を前記サーバに送信することを特徴とする請求項７に記載の通信システム。
【請求項９】
ＳＩＰ（Session InitiationProtocol）を用いてデータ通信を行うサーバであって、 第１の端末宛ての接続要求を外部装置から受けた場合に、当該外部装置に対して前記第１の端末のアドレス情報を応答する応答手段と、
第２の端末から、当該第２の端末を前記第１の端末宛ての接続要求の転送先として設定することを要求された場合に、当該設定を許可するか否かを判断する判断手段と、
前記判断手段による判断の結果、前記第２の端末を前記第１の端末宛ての接続要求の転送先として設定することを許可すると判断された場合に、前記第２の端末を前記第１の端末宛ての接続要求の転送先として設定する設定手段と、
前記設定手段により前記第２の端末が前記第１の端末宛ての接続要求の転送先として設定されている状態で、前記第１の端末宛ての接続要求を受けた場合に、前記応答手段が前記第２の端末のアドレス情報を応答するよう制御する制御手段と、
を備えることを特徴とするサーバ。
【請求項１０】
前記第１の端末宛ての接続要求の転送先として設定可能な端末を示す情報を保持する保持手段を更に備え、
前記判断手段は、前記第２の端末を示す情報が前記保持手段に保持されている場合に、前記第２の端末を前記第１の端末宛ての接続要求の転送先として設定することを許可すると判断し、前記第２の端末を示す情報が前記保持手段に保持されていない場合は、前記第２の端末を前記第１の端末宛ての接続要求の転送先として設定することを許可しないと判断することを特徴とする請求項９に記載のサーバ。
【請求項１１】
前記第１の端末宛ての接続要求の転送先として設定可能な端末を示す情報を前記第１の端末から受信し、当該受信した情報を前記保持手段により保持することを特徴とする請求項１０に記載のサーバ。
【請求項１２】
前記判断手段は、前記第２の端末から前記要求を受けた場合に、当該第２の端末を前記第１の端末宛ての接続要求の転送先として設定することを許可するか否かを前記第１の端末に対して問い合わせることにより、前記判断を行うことを特徴とする請求項９に記載のサーバ。
【請求項１３】
前記判断手段は、前記第２の端末から受信する、前記第２の端末を前記第１の端末宛ての接続要求の転送先として設定することを前記第１の端末が許可したことを示す許可情報に基づいて、前記第２の端末を前記第１の端末宛ての接続要求の転送先として設定することを許可するか否かを判断することを特徴とする請求項９に記載のサーバ。
【請求項１４】
少なくとも第１の端末及び第２の端末を含む複数の端末とサーバとが通信回線を介して互いに接続され、ＳＩＰ（Session InitiationProtocol）を用いてデータ通信を行う通信システムにおける通信方法であって、
前記サーバにおいて、
前記第１の端末宛ての接続要求を外部装置から受けた場合に、当該外部装置に対して前記第１の端末のアドレス情報を応答する応答工程と、
前記第２の端末から、当該第２の端末を前記第１の端末宛ての接続要求の転送先として設定することを要求された場合に、当該設定を許可するか否かを判断する判断工程と、
前記判断工程における判断の結果、前記第２の端末を前記第１の端末宛ての接続要求の転送先として設定することを許可すると判断された場合に、前記第２の端末を前記第１の端末宛ての接続要求の転送先として設定する設定工程と、
前記設定工程で前記第２の端末が前記第１の端末宛ての接続要求の転送先として設定された状態で、前記第１の端末宛ての接続要求を受けた場合に、前記応答工程で前記第２の端末のアドレス情報が応答されるよう制御する制御工程と、
を備えることを特徴とする通信方法。
【請求項１５】
ＳＩＰ（Session InitiationProtocol）を用いてデータ通信を行うサーバの制御方法であって、
第１の端末宛ての接続要求を外部装置から受けた場合に、当該外部装置に対して前記第１の端末のアドレス情報を応答する応答工程と、
第２の端末から、当該第２の端末を前記第１の端末宛ての接続要求の転送先として設定することを要求された場合に、当該設定を許可するか否かを判断する判断工程と、
前記判断工程における判断の結果、前記第２の端末を前記第１の端末宛ての接続要求の転送先として設定することを許可すると判断された場合に、前記第２の端末を前記第１の端末宛ての接続要求の転送先として設定する設定工程と、
前記設定工程で前記第２の端末が前記第１の端末宛ての接続要求の転送先として設定されている状態で、前記第１の端末宛ての接続要求を受けた場合に、前記応答工程で前記第２の端末のアドレス情報を応答するよう制御する制御工程と、
を備えることを特徴とするサーバの制御方法。
【請求項１６】
請求項１４に記載の通信方法をコンピュータに実行させるためのプログラム。
【請求項１７】
請求項１５に記載の制御方法をコンピュータに実行させるためのプログラム。